(57)【要約】【課題】ビデオ画像を後処理し、アニメ風ビデオを作成できるようにする。【解決手段】プロセッサ（２０３）は、処理する複数のビデオフレームを提供するようにユーザに促し、アニメカラーパレットを選択するようにユーザに促し、複数のビデオフレームから１つの未処理フレームを選択し、選択されたビデオフレーム内の１つの未処理ピクセルを選択し、選択されたピクセルの色をアニメカラーパレット内の最も近い色に変更し、処理されたピクセルをメモリ（２１４）に保存するように構成される。【選択図】図２Ａ
2007035036.tif 000002
【特許請求の範囲】
【請求項１】
ａ）処理する複数のビデオフレームを提供するステップと、
ｂ）アニメカラーパレットを選択するステップと、
ｃ）前記複数のビデオフレームから１つの未処理フレームを選択するステップと、
ｄ）前記選択されたビデオフレーム内の１つの未処理ピクセルを選択するステップと、
ｅ）前記選択されたピクセルの色を前記アニメカラーパレット内の最も近い色に変更するステップと、
ｆ）前記処理されたピクセルをメモリに保存するステップと、
ｇ）未処理のピクセルが残っているかチェックし、残っている場合は前記ｄ）のステップに戻るステップと、
ｈ）未処理のフレームが残っているかチェックし、残っている場合は前記ｃ）のステップに戻るステップと、
を含むことを特徴とする方法。
【請求項２】
ｉ）少なくとも１つのアニメカラーパレットを作成するステップをさらに含むことを特徴とする請求項１記載の方法。
【請求項３】
ａ）処理する複数のビデオフレームを提供するステップと、
ｂ）アニメカラーパレットを選択するステップと、
ｃ）前記複数のビデオフレームから１つの未処理フレームを選択するステップと、
ｄ）前記選択されたビデオフレーム内の処理する複数のピクセルを選択するステップと、
ｅ）前記選択されたビデオフレーム内の１つの未処理ピクセルを選択するステップと、
ｆ）前記選択されたピクセルの色を前記アニメカラーパレット内の最も近い色に変更するステップと、
ｇ）前記処理されたピクセルをメモリに保存するステップと、
ｈ）未処理のピクセルが残っているかチェックし、残っている場合は前記ｅ）のステップに戻るステップと、
ｉ）未処理のフレームが残っているかチェックし、残っている場合は前記ｃ）のステップに戻るステップと、
を含むことを特徴とする方法。
【請求項４】
ｊ）少なくとも１つのアニメカラーパレットを作成するステップをさらに含むことを特徴とする請求項３に記載の方法。
【請求項５】
本体と、
ビデオイメージを記憶するように構成されたメモリと、
前記メモリに電気的に結合された、前記本体内のプロセッサと、
を備える電子装置であって、
前記プロセッサは、
処理する複数のビデオフレームを提供するようにユーザに促し、
アニメカラーパレットを選択するようにユーザに促し、
前記複数のビデオフレームから１つの未処理フレームを選択し、
前記選択されたビデオフレーム内の１つの未処理ピクセルを選択し、
前記選択されたピクセルの色を前記アニメカラーパレット内の最も近い色に変更し、
前記処理されたピクセルを前記メモリに保存する、
ように構成されることを特徴とする電子装置。
【請求項６】
前記プロセッサはまた、ユーザが少なくとも１つのアニメカラーパレットを作成できるようにするように構成されることを特徴とする請求項５に記載の電子装置。
【請求項７】
本体と、
ビデオイメージを記憶するように構成されたメモリと、
前記メモリに電気的に結合された、前記本体内のプロセッサと、
を備える電子装置であって、
前記プロセッサは、
処理する複数のビデオフレームを提供するようにユーザに促し、
アニメカラーパレットを選択するようにユーザに促し、
前記複数のビデオフレームから１つの未処理フレームを選択し、
ユーザが前記ビデオフレームから処理するピクセルのサブセットを選択できるようにし、
前記選択されたビデオフレーム内の１つの未処理ピクセルを選択し、
前記選択されたピクセルの色を前記アニメカラーパレット内の最も近い色に変更し、
前記処理されたピクセルを前記メモリに保存する、
ように構成されることを特徴とする電子装置。
【請求項８】
前記プロセッサはまた、ユーザが少なくとも１つのアニメカラーパレットを作成できるようにするように構成されることを特徴とする請求項７に記載の電子装置。
【発明の詳細な説明】
【技術分野】
【０００１】
本発明は、包括的にはビデオ画像後処理の分野に関し、特にアニメ風ビデオを作成する分野に関する。
【背景技術】
【０００２】
多くの現在の画像取り込み装置は、映像ファイルを録画する機能を備えている。ユーザが静止画像をアーティスティックに変更できるようにする多くの市販のソフトウェアパッケージが存在する。
【発明の開示】
【発明が解決しようとする課題】
【０００３】
しかしながら、係るソフトウェアで現在、アーティスティックな変更を映像ファイルに対して行えるものは殆どない。アニメ及び動画での他のコンピュータアニメーションの現在の人気からして、ユーザは、独自のカスタムアニメを作成したい場合があるが、これは難しく非常に長い時間のかかるプロセスである。さらに、ユーザは各自の映像ファイルを、アニメ又はコンピュータアニメーションのような見た目になるように変えたい場合がある。
【課題を解決するための手段】
【０００４】
ユーザが、処理する複数のビデオフレームを提供し、アニメカラーパレットを選択する。選択されたすべてのビデオフレーム内の選択されたすべてのピクセルの色が、アニメカラーパレット内の最も近い色に変更され、メモリに記憶される。オプションとして、ユーザはカスタムアニメカラーパレットを作成することができ、任意の所与のビデオフレーム内の、すべてに満たないピクセルを処理のために選択することができる。
【０００５】
本発明の他の態様及び利点が、本発明の原理を例として示す添付図面と併せて解釈される以下の詳細な説明から明らかになろう。
【発明を実施するための最良の形態】
【０００６】
好ましい実施形態についてのこの説明は、本発明の書面での説明全体の一部とみなすべき添付図面と併せて読まれるものとする。説明中、「より下」、「より上」、「水平」、「垂直」、「アップ」、「ダウン」、「上」、「下」、「左」、及び「右」等の相対的な用語並びにその派生語（たとえば、「水平に」、「下に」、「上に」等）は、その時に説明する、又は考察中の図面に示す向きを基準として解釈すべきである。これら相対的な用語は、説明の都合上のものであり、通常、特定の向きを求めることを目的としたものではない。「接続された」、「結合された」、及び「相互接続された」等の取り付け、結合等に関する用語は、特に別記しない限り、構造が直接、又は介在構造を通して間接的に、また両方が、可動又は固定の取り付け又は関係で互いに固定される、若しくは取り付けられる関係を指す。
【０００７】
図１は、本発明によるアニメ風ビデオを作成する方法の実施形態例のフローチャートである。ステップ１００において、処理する複数のビデオフレームが提供される。これらビデオフレームは、映像ファイル全体、又は本発明のいくつかの実施形態では、映像ファイル内のビデオフレームのサブセットを含むことができる。オプションのステップ１０２において、少なくとも１つのアニメカラーパレットが作成される。これらアニメカラーパレットは、ユーザが作成してもよく、又は製造業者が本発明のエンドユーザが使用するようにカラーパレットのセレクションを提供してもよい。本発明の好ましい実施形態では、これらカラーパレットは、アニメに通常使用される限られたパレットを反映するように３０未満の異なる色を含む。本発明の他の実施形態では、３０以上の異なる色を含むカラーパレットを使用することができる。ステップ１０４において、アニメカラーパレットが、利用可能なアニメカラーパレット群から選択される。ステップ１０６において、複数のビデオフレームのうちの１つの、まだ処理されていないビデオフレームが、処理するために選択される。オプションのステップ１０８において、選択されたビデオフレーム内の複数のピクセルが、処理するために選択される。いくつかの実施形態では、ユーザがシーン全体ではなくビデオフレームの一部を「アニメ化」したい場合があることを当業者は認識しよう。本発明のいくつかの実施形態では、方法はビデオフレーム全体を処理するように初期設定されるが、ユーザがオプションとしてフレームのすべてに満たない部分を処理するように選択できるようにする。ステップ１１０において、ビデオフレーム内のピクセルの１つが、処理するために選択される。ステップ１１２において、選択されたピクセルの色が、アニメカラーパレット内の最も近い色に変更され、メモリに保存される。本発明のいくつかの実施形態では、選択されたピクセルの色をこの変更された色で上書きすることができることを当業者は認識しよう。本発明の他の実施形態では、これら新規のアニメカラーをメモリの異なるロケーションに記憶し、元のビデオフレームをそのまま残すことができる。本発明の範囲内で最も近い色を判断する種々の方法があることを当業者は認識しよう。たとえば、３次元色空間を使用して、選択されたピクセルの色から選択されたアニメカラーパレット内の各色までの距離を計算し、次いで選択されたピクセルの色までの距離が最も短い色を選択することによって最も近い色を判断することができる。判断ステップ１１４において、まだ処理されていないピクセルが選択されたビデオフレームに残っている場合、制御はステップ１１０に戻り、別のピクセルが処理するために選択される。フレーム内のすべてのピクセルが処理済みの場合、制御は判断ステップ１１６に進む。判断ステップ１１６において、まだ処理されていないビデオフレームが残っている場合、制御はステップ１０６に戻り、別のフレームが処理するために選択される。選択されたすべてのフレームが処理済みである場合、方法はステップ１１８において終了する。
【０００８】
図２Ａは、本発明によるアニメ風ビデオを作成する装置の実施形態例の正面図である。本発明のこの実施形態例では、レンズ２０２、ＣＣＤ又はＣＭＯＳセンサ等のイメージセンサ２０４、メモリ２１４、シャッタボタン２０８、光学ビューファインダ２１０、及びストロボ２１２を備えた本体２００が、アニメ風ビデオを作成するように構成される。このデジタルカメラ２００は、メモリ２１４に電気的に結合され、上述した、図１のフローチャートに示した方法を用いてアニメ風ビデオを作成するように構成されたプロセッサ２０３も備える。デジタルカメラが、本発明の範囲内でビデオフレームのセレクションからアニメ風ビデオを作成するように構成することができる種々の装置の１つにすぎないことを当業者は認識しよう。たとえば、コンピュータを本発明の実施形態として使用することができ、ビデオフレームが別体の画像取り込み装置から取り込まれ、コンピュータプロセッサに提供されてアニメ風ビデオが作成される。
【０００９】
図２Ｂは、本発明によるアニメ風ビデオを作成する装置の実施形態例の背面図である。本発明のこの実施形態例では、本体２００は、ビューファインダ画像及びデジタルカメラの制御するためのユーザインタフェースメニュー等の他の情報を示すために使用される、ＬＣＤディスプレイ等のビューファインダディスプレイ２１６も備える。
【００１０】
本発明の上記説明は、例示及び説明を目的として提示した。網羅的である、すなわち本発明を開示した厳密な形態に限定する意図はなく、他の変更及び変形が上記教示を鑑みて可能であり得る。実施形態は、本発明の原理及びその実際の用途を最良に説明し、それによって当業者が意図する特定の用途に合う各種実施形態及び各種変更形態で本発明を最良に利用できるようにするために選択され説明された。添付の特許請求の範囲が、従来技術によって限定される範囲を除き、本発明の他の代替の実施形態を含むものと解釈されることを意図する。
【図面の簡単な説明】
【００１１】
【図１】本発明によるアニメ風ビデオを作成する方法の実施形態例のフローチャートである。
【図２Ａ】本発明によるアニメ風ビデオを作成する装置の実施形態例の正面図である。
【図２Ｂ】本発明によるアニメ風ビデオを作成する装置の実施形態例の背面図である。
【符号の説明】
【００１２】
２００  本体
２０３  プロセッサ
２１４  メモリ
【図１】
2007035036.tif 000003
【図２Ａ】
2007035036.tif 000004
【図２Ｂ】
2007035036.tif 000005